【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
受信システムであって、
前記受信システムの入力と前記受信システムの出力との間にある複数の経路の一以上を選択的にアクティブにするべく構成された制御器と、
各一つの増幅器が前記複数の経路の一つの対応経路に沿って設けられかつ前記増幅器において受信信号を増幅するべく構成された複数の増幅器と、
各一つの位相シフト部品が前記複数の経路の一つの対応経路に沿って設けられかつ前記位相シフト部品を通過する信号を位相シフトするべく構成された複数の位相シフト部品と
を含み、
前記複数の位相シフト部品は第１位相シフト部品を含み、
前記第１位相シフト部品は、前記複数の経路の第１周波数帯域に対応する第１経路に沿って設けられ、かつ、前記第１位相シフト部品を通過する信号の第２周波数帯域を位相シフトして、前記複数の経路の前記第２周波数帯域に対応する第２経路に沿って伝播する第２初期信号と、前記第１経路に沿って伝播する第２反射信号とを少なくとも部分的に同相にするべく構成される受信システム。
【請求項２】
前記複数の位相シフト部品は第２位相シフト部品を含み
前記第２位相シフト部品は、前記第２経路に沿って設けられ、かつ、前記第２位相シフト部品を通過する信号の前記第１周波数帯域を位相シフトして、前記第１経路に沿って伝播する第１初期信号と、前記第２経路に沿って伝播する第１反射信号とを少なくとも部分的に同相にするべく構成される請求項１の受信システム。
【請求項３】
前記第１位相シフト部品はさらに、前記第１位相シフト部品を通過する信号の第３周波数帯域を位相シフトして、前記複数の経路の前記第３周波数帯域に対応する第３経路に沿って伝播する第３初期信号と、前記第１経路に沿って伝播する第３反射信号とを少なくとも部分的に同相にするべく構成される請求項１の受信システム。
【請求項４】
前記第１位相シフト部品は、前記第１位相シフト部品を通過する信号の前記第２周波数帯域を位相シフトして、前記第２初期信号と前記第２反射信号とが３６０度の整数倍の位相差を有するようにするべく構成される請求項１の受信システム。
【請求項５】
前記入力において受信した入力信号を、前記複数の経路に沿って伝播する複数の周波数帯域それぞれの複数の信号に分割するべく構成されたマルチプレクサをさらに含む請求項１の受信システム。
【請求項６】
前記複数の経路に沿って伝播する信号を結合するべく構成された信号結合器をさらに含む請求項１の受信システム。
【請求項７】
前記信号結合器及び前記出力間に設けられた結合器後段増幅器をさらに含み、
前記結合器後段増幅器は、前記結合器後段増幅器において受信した信号を増幅するべく構成される請求項６の受信システム。
【請求項８】
前記複数の位相シフト部品の各一つが、前記信号結合器と前記複数の増幅器のそれぞれ一つとの間に設けられる請求項６の受信システム。
【請求項９】
前記複数の増幅器の少なくとも一つは二段増幅器を含む請求項１の受信システム。
【請求項１０】
前記複数の位相シフト部品の少なくとも一つは受動回路である請求項１の受信システム。
【請求項１１】
前記複数の位相シフト部品の少なくとも一つはＬＣ回路である請求項１の受信システム。
【請求項１２】
前記複数の位相シフト部品の少なくとも一つはチューニング可能位相シフト部品を含み、
前記チューニング可能位相シフト部品は、前記チューニング可能位相シフト部品を通過する信号を、前記制御器から受信した位相シフトチューニング信号によって制御される量だけ位相シフトするべく構成される請求項１の受信システム。
【請求項１３】
複数のインピーダンス整合部品をさらに含み、
前記インピーダンス整合部品の各一つは、前記複数の経路の一つの対応経路に沿って設けられ、かつ、前記複数の経路の前記対応経路の帯域外雑音指数又は帯域外利得の少なくとも一つを低下させるべく構成される請求項１の受信システム。
【請求項１４】
無線周波数（ＲＦ）モジュールであって、
複数の部品を受容するべく構成されたパッケージング基板と、
前記パッケージング基板に実装された受信システムと
を含み、
前記受信システムは、
前記受信システムの入力と前記受信システムの出力との間にある複数の経路の一以上を選択的にアクティブにするべく構成された制御器と、
各一つの増幅器が前記複数の経路の一つの対応経路に沿って設けられかつ前記増幅器において受信した信号を増幅するべく構成された複数の増幅器と、
各一つの位相シフト部品が前記複数の経路の一つの対応経路に沿って設けられかつ前記位相シフト部品を通過する信号を位相シフトするべく構成された複数の位相シフト部品と
を含み、
前記複数の位相シフト部品は第１位相シフト部品を含み、
前記第１位相シフト部品は、前記複数の経路の第１周波数帯域に対応する第１経路に沿って設けられ、かつ、前記第１位相シフト部品を通過する信号の第２周波数帯域を位相シフトして、前記複数の経路の前記第２周波数帯域に対応する第２経路に沿って伝播する第２初期信号と、前記第１経路に沿って伝播する第２反射信号とを少なくとも部分的に同相にするべく構成されるＲＦモジュール。
【請求項１５】
前記ＲＦモジュールはダイバーシティ受信器フロントエンドモジュール（ＦＥＭ）である請求項１４のＲＦモジュール。
【請求項１６】
無線デバイスであって、
第１無線周波数（ＲＦ）信号を受信するべく構成された第１アンテナと、
前記第１アンテナと通信する第１フロントエンドモジュール（ＦＥＭ）と、
送受信器と
を含み、
前記第１ＦＥＭは、複数の部品を受容するべく構成されたパッケージング基板を含み、
前記第１ＦＥＭはさらに、前記パッケージング基板に実装された受信システムを含み、
前記受信システムは、
前記受信システムの入力と前記受信システムの出力との間にある複数の経路の一以上を選択的にアクティブにするべく構成された制御器と、
各一つの増幅器が前記複数の経路の一つの対応経路に沿って設けられかつ前記増幅器において受信信号を増幅するべく構成された複数の増幅器と、
各一つの位相シフト部品が前記複数の経路の一つの対応経路に沿って設けられかつ前記位相シフト部品を通過する信号を位相シフトするべく構成された複数の位相シフト部品と
を含み、
前記複数の経路の第１周波数帯域に対応する第１経路に沿って設けられた前記複数の位相シフト部品の第１位相シフト部品が、前記第１位相シフト部品を通過する信号の第２周波数帯域を位相シフトして、前記複数の経路の前記第２周波数帯域に対応する第２経路に沿って伝播する第２初期信号と、前記第１経路に沿って伝播する第２反射信号とを少なくとも部分的に同相にするべく構成され、
前記送受信器は、前記出力からの前記第１ＲＦ信号の処理済みバージョンを送信線を介して受信しかつ前記第１ＲＦ信号の処理済みバージョンに基づいてデータビットを発生させるべく構成される無線デバイス。
【請求項１７】
第２無線周波数（ＲＦ）信号を受信するべく構成された第２アンテナと、
前記第１アンテナと通信する第２ＦＥＭと
をさらに含み、
前記送受信器は、前記第２ＦＥＭの出力から前記第２ＲＦ信号の処理済みバージョンを受信しかつ前記第２ＲＦ信号の処理済みバージョンに基づいて前記データビットを発生させるべく構成される請求項１６の無線デバイス。
【請求項１８】
前記位相シフトチューニング信号は帯域選択信号に基づく請求項１２の受信システム。
【請求項１９】
前記複数の位相シフト部品は第２位相シフト部品を含み、
前記第２位相シフト部品は、前記第２経路に沿って設けられ、かつ、前記第２位相シフト部品を通過する信号の前記第１周波数帯域を位相シフトして、前記第１経路に沿って伝播する第１初期信号と、前記第２経路に沿って伝播する第１反射信号とを少なくとも部分的に同相にするべく構成される請求項１４のＲＦモジュール。
【請求項２０】
前記複数の位相シフト部品は第２位相シフト部品を含み、
前記第２位相シフト部品は、前記第２経路に沿って設けられ、かつ、前記第２位相シフト部品を通過する信号の前記第１周波数帯域を位相シフトして、前記第１経路に沿って伝播する第１初期信号と、前記第２経路に沿って伝播する第１反射信号とを少なくとも部分的に同相にするべく構成される請求項１６の無線デバイス。